(57)【特許請求の範囲】
【請求項１】
標識部と、この標識部に導入されて光を通すライトガイドと、前記標識部内に設けられて前記ライトガイド内の光を前記標識部の標示板に略平行に出射させる発光部とを備え、
前記標識部が、標示用開口を有する不透明の箱体で構成され、前記標示板が透光性であって前記標示用開口を閉じており、
前記ライトガイドは管状の外殻と光を軸方向にガイドするプリズムシートを有し、    
前記発光部は前記標識部内の前記標示板の裏側に配置され、前記外殻に連続する透光性外殻と、前記プリズムシートに連続する発光部プリズムシートと、前記発光部プリズムシートの外側を包囲して光を反射するものであって前記標示板に略平行に光を出射させるように周方向に所定幅の出射光部を形成したリフレクタと、前記発光部プリズムシートの内側の前記出射光部に対向して配置されて光を反射するエクストラクタと具備し、
前記リフレクタの前記標示板に接近した部分が透光性を有する標示灯。
【請求項２】
前記ライトガイドおよび前記発光部は光を長手方向にガイドする円筒状のプリズムシートを有し、その三角プリズムの頂点が外向きでありかつその頂点の稜線が前記長手方向に平行である請求項１記載の標示灯。
【請求項３】
前記エクストラクタは光の進行方向に徐々に面積を増大する形状を有する請求項１記載の標示灯。
【請求項４】
前記標識部の前記発光部のエクストラクタが錐状の筒形状である請求項１記載の標示灯。
【請求項５】
前記標識部が前記発光部から離れるほど前記標示板に近接する背面反射板を前記標示板と前記発光部の間に設け、前記背面反射板は放物面、平面、または屈曲部を有する平面である請求項１記載の標示灯。
【請求項６】
前記ライトガイドが屈曲部を有し、前記屈曲部にコーナ反射鏡を配置している請求項１記載の標示灯。
【請求項７】
前記ライトガイドは複数本からなる請求項１記載の標示灯。
【請求項８】
前記標識部が複数であり、前記ライトガイドが複数の前記標識部の各々に連なっている請求項１記載の標示灯。
【請求項９】
前記標識部が複数であり、前記ライトガイドが複数の前記標識部の各々に連なり、前記標識部の前記発光部のエクストラクタの面積が前記標識部のうち光源から離れたもの程大きくなる請求項１記載の標示灯。
【請求項１０】
前記標識部が複数であり、前記ライトガイドが複数の前記標識部の各々に連なり、光源側の前記標識部の前記発光部のエクストラクタが矩形であり、前記光源から離れた前記標識部の前記発光部のエクストラクタが錐状の筒形状である請求項１記載の標示灯。
【請求項１１】
前記ライトガイドの末端は光を反射するエンドリフレクタを有する請求項１記載の標示灯。
【発明の詳細な説明】
【０００１】
【発明の属する技術分野】
この発明は、道路標識灯、看板照明灯、サイン照明灯などの標示灯に関するものである。
【０００２】
【従来の技術】
第１の従来例は、図３４に示すように内照式標示灯であり、標識部２０１の内部に直管蛍光灯を用いた光源２００を多灯配置して、標識を内照する。
【０００３】
第２の従来例は図３５に示すようにプリズムシート内照式標示灯であり、光源（図示せず）の光をライトチューブ２０２を通して標識部２０１内に導入しライトチューブ２０２の全周を開口してライトチューブ２０２内のプリズムシート２０３で均一に標識部２０１内に発光させる。
【０００４】
【発明が解決しようとする課題】
しかし、第１の従来例は、標示灯が高所あるいは道路の上方にあるので、光源あるいは点灯回路が故障した場合、光源２００の交換あるいは修理等を行なう時に道路の交通規制をして高所に登って行なわなければならず、メンテナンスが難しいという欠点があった。
【０００５】
また器具内部に光源２００を多灯配置するため、光源２００の配置（光源間の距離、光源と標識面との間隔）によっては、標識面に輝度むらが出やすく、標識の視認性が低下する。輝度比は最高輝度と最低輝度の比として、３．７程度であった。
【０００６】
第２の従来例は輝度比が２．８程度であったが、標識部２０１内のライトチューブ２０２の開口が全周にわたっているため標示面に当たる光の効率が悪い。また１本のライトチューブ２０２に２以上の標識部をつなげると光源に近い標識部が明るく、光源から離れた標識部が暗くなり、輝度差がでるという欠点があった。
【０００７】
したがって、この発明の目的は、光源のメンテナンスがよく、輝度むらを低減でき、光の使用効率がよい標示灯を提供することである。
【０００８】
【課題を解決するための手段】
請求項１記載の標示灯は、標識部と、この標識部に導入されて光を通すライトガイドと、前記標識部内に設けられて前記ライトガイド内の光を前記標識部の標示板に略平行に出射させる発光部とを備え、
前記標識部が、標示用開口を有する不透明の箱体で構成され、前記標示板が透光性であって前記標示用開口を閉じており、
前記ライトガイドは管状の外殻と光を軸方向にガイドするプリズムシートを有し、    
前記発光部は前記標識部内の前記標示板の裏側に配置され、前記外殻に連続する透光性外殻と、前記プリズムシートに連続する発光部プリズムシートと、前記発光部プリズムシートの外側を包囲して光を反射するものであって前記標示板に略平行に光を出射させるように周方向に所定幅の出射光部を形成したリフレクタと、前記発光部プリズムシートの内側の前記出射光部に対向して配置されて光を反射するエクストラクタと具備し、
前記リフレクタの前記標示板に接近した部分が透光性を有するものである。
【０００９】
請求項１記載の標示灯によれば、光源を標識部から分離できるので光源のメンテナンスをよくでき、発光部より光を標示板に略平行に出射させるため、輝度むらを低減でき、光の使用効率をよくできる。またエクストラクタにより標識部の輝度を高めることができる。さらに標示板の発光部に近接した部分の輝度を高め、標示板全体の輝度を均一にできる。
【００１６】
請求項２記載の標示灯は、請求項１において、前記ライトガイドおよび前記発光部は光を長手方向にガイドする円筒状のプリズムシートを有し、その三角プリズムの頂点が外向きでありかつその頂点の稜線が前記長手方向に平行である。
【００１７】
請求項２記載の標示灯によれば、請求項１と同様な効果がある。
【００２２】
請求項３記載の標示灯は、請求項１において、前記エクストラクタは光の進行方向に徐々に面積を増大する形状を有するものである。
【００２３】
請求項３記載の標示灯によれば、請求項１と同様な効果のほか、光の進行方向の輝度の均一化を図れる。
【００２４】
請求項４記載の標示灯は、請求項１において、前記標識部の前記発光部のエクストラクタが錐状の筒形状である。
【００２５】
請求項４記載の標示灯によれば、請求項３と同様な効果をより一層顕著にすることができる。
【００２６】
請求項５記載の標示灯は、請求項１において、前記標識部が前記発光部から離れるほど前記標示板に近接する背面反射板を前記標示板と前記発光部の間に設け、前記背面反射板は放物面、平面、または屈曲部を有する平面である。
【００２７】
請求項５記載の標示灯によれば、請求項１と同様な効果がある。
【００２８】
請求項６記載の標示灯は、請求項１において、前記ライトガイドが屈曲部を有し、前記屈曲部にコーナ反射鏡を配置しているものである。
【００２９】
請求項６記載の標示灯によれば、請求項１と同様な効果がある。
【００３０】
請求項７記載の標示灯は、請求項１において、前記ライトガイドが複数本からなるものである。
【００３１】
請求項７記載の標示灯によれば、請求項１と同様な効果のほか、ライトガイド数に応じて明るさが増し、また標識部の形状を大きくすることができる。
【００３２】
請求項８記載の標示灯は、請求項１において、前記標識部が複数であり、前記ライトガイドが複数の前記標識部の各々に連なっているものである。
【００３３】
請求項８記載の標示灯によれば、請求項１と同様な効果のほか、発光部により標識部間の輝度差を低減できる。
【００３４】
請求項９記載の標示灯は、請求項１において、前記標識部が複数であり、前記ライトガイドが複数の前記標識部の各々に連なり、前記標識部の前記発光部のエクストラクタの面積が前記標識部のうち光源から離れたもの程大きくなるものである。
【００３５】
請求項９記載の標示灯によれば、請求項８と同様な効果をより一層顕著にすることができる。
【００３６】
請求項１０記載の標示灯は、請求項１において、前記標識部が複数であり、前記ライトガイドが複数の前記標識部の各々に連なり、前記光源側の前記標識部の前記発光部のエクストラクタが矩形であり、前記光源から離れた前記標識部の前記発光部のエクストラクタが錐状の筒形状である。
【００３７】
請求項１０記載の標示灯によれば、請求項８と同様な効果をより一層顕著にすることができる。
【００３８】
請求項１１記載の標示灯は、請求項１において、前記ライトガイドの末端は光を反射するエンドリフレクタを有するものである。
【００３９】
請求項１１記載の標示灯によれば、請求項１と同様な効果のほか、エンドリフレクタで反射した光を発光部に戻すことができ、標識部の輝度を高めるのに寄与する。
【００４０】
【発明の実施の形態】
この発明の第１の実施の形態を図１から図７により説明する。すなわち、この標示灯は、標識部１と、ライトガイド３と、発光部４とを有する。
【００４１】
標識部１は、ライトガイド３を通す幅を有する例えば横幅１８００ｍｍ、縦幅１２００ｍｍの不透明の箱体であり、前面に標示用開口を設け、透過率６５％のアクリルシートを用いた乳白パネルの標示板５で塞いでいる。例えば道路の上方に設置した道路標識灯などに用いる。
【００４２】
ライトガイド３は光を通すものであり、標識部１に側部より導入され、標示板５の裏面の上部で略平行に配置し、それと同じ高さの一端に光源６を配置して光をライトガイド３内に導いている。実施の形態のライトガイドは図４（ａ）に示すように径が約１５０ｍｍ、肉厚２ｍｍのステンレス管の外殻７と、その最内面が導光シート例えばポリカーボネートを用いたプリズムシート８で構成されている。プリズムシート８は頂角が略９０度の三角プリズムでその頂角の稜線はライトガイド３の中心線（軸線）と略平行であり、三角プリズムは図４（ｂ）に示すようにライトガイド３の外面側に形成されている。
【００４３】
光源６は、例えば４００Ｗ、配光１／２ビーム角が１０度から３０度以内のメタルハライドランプを用い、アルミニウム（アルマイト処理）を施した全反射率８６％の反射鏡を用いている。
【００４４】
発光部４は、標識部１内に設けられてライトガイド３内の光を標識部１の標示板５の標識面に略平行に出射させる。実施の形態では、発光部４はライトガイド３に設けられており、リフレクタフィルム１０で外殻７ａとプリズムシート８ａの間において全周の一部を囲むことにより、光を出射させる出射光部９を開口形成し、出射光部９を標識部１の標示板５に略平行に下方に向けている。この発光部４の外殻７ａは透過率９２％のアクリル樹脂パイプ（外径１５０ｍｍ、肉厚２ｍｍ）を用い、リフレクタフィルム１０は拡散反射率９６％のＰＥＴを用いており、ポリカーボネートのプリズムシート８ａはプリズムシート８と同構成である。また図３に示すように開口する出射光部９の発光部４の断面中心からの開き角度φは１０〜１２０度が望ましいが、実施の形態ではφを９０度としている。また出射光部９の開く方向θは垂直下方を０度として標示板５側をプラス、標示板５と反対側をマイナスとして、−１５〜３０度が好ましいが、実施の形態ではθを０度すなわち標示板５に平行な垂直下方としている。
【００４５】
さらにプリズムシート８ａの内側で出射光部９に対向する位置に図５に示すようにエクストラクタフィルム１１を配置している。材料はリフレクタフィルム１０と同じである。このエクストラクタフィルム１１は光の進行方向に徐々に面積を増大させるように形成され、その形状は図６に示すように光源６側を頂点とする縦長三角形状であり、例えば底辺に対する高さは約１０倍、底辺が約１８０ｍｍとすると高さ約１８００ｍｍである。
【００４６】
エンドリフレクタ１２はライトガイド３の先端部、この場合発光部４の端部に設けられるもので、反射率９７％の銀蒸着フィルムラミネート鋼板を用い、ライトガイド断面に対して出射光部９側に傾斜する角度が０〜４５度が望ましいが、この実施の形態では３０度としている。エンドリフレクタは鏡面または拡散面であればよい。
【００４７】
このように光源６と標識部１を分離して配置するため、光源６をメンテナンスし易い場所に配置することができる。また発光部４が標示面に略平行に出射するので、光の使用効率がよくなり、輝度むらが低減される。実施の形態における輝度比は２．１程度である。
【００４８】
この発明の第２の実施の形態を図８および図９により説明する。すなわち、この標示灯は、第１の実施の形態において、ライトガイド３を２本用い、各ライトガイド３を標識部１の上部側部および下部側部から標識部１内に導入し、各ライトガイド３に設けた発光部４は出射光部９を標識部１の中央側に向けている。なおエンドリフレクタ１２の傾き角は０度である。また輝度比は２．０であった。
【００４９】
ライトガイド３および発光部４が２本になることにより標識部１の標示面がより一層明るくなり、かつ標示板を大きくすることができる。その他は第１の実施の形態と同様である。
【００５０】
この発明の第３の実施の形態を図１０および図１１により説明する。すなわち、この標示灯は、第１の実施の形態において、ライトガイド３の光源側端部を水平配置から垂直配置に略９０度折曲して基端部１４を地上に延長し、その基端に光源６を配置している。屈曲部にはコーナボックス１５を設け、図１１に示すように光路屈曲ミラー（コーナ反射板）１６を垂直に対して約４５度の傾斜角で配置して効率よく光をガイドしている。このコーナ反射板１６はエンドリフレクタ１２と同構造である。
【００５１】
光源６は１ｋＷのマルチハロゲン灯を使用し、配光１／２ビーム角を３０度としている。またライトガイドの径２５０ｍｍとし、エンドリフレクタ１２の傾斜角は０度である。
【００５２】
この実施の形態の標識部１の輝度比は２．０であった。その他は第１の実施の形態と同様である。
【００５３】
この発明の第４の実施の形態を図１２により説明する。すなわち、この標示灯は、第３の実施の形態において、ライトガイド３およびそれに設けられた発光部４が２本の場合であり、標識部１での発光部４の構成は第２の実施の形態と同構成である。
【００５４】
この発明の第５の実施の形態を図１３により説明する。すなわち、この標示灯は、第２の実施の形態において、標識部１ａ、１ｂが２台の場合である。エンドリフレクタ１２は３０度に傾斜している。輝度比は標識部１ａが２．０、標識部１ｂが２．１である。
【００５５】
この発明の第６の実施の形態を図１４により説明する。すなわち、この標示灯は、第１の実施の形態において、表側の標示板１７と裏側の標示板１８からなり、その間の上部にライトガイド３の発光部４が配置されている。輝度比は標示板１７が２．２と標示板１８が２．１であった。その他は第１の実施の形態と同様である。
【００５６】
この発明の第７の実施の形態を図１５により説明する。すなわち、この標示灯は、ライトガイド３が２本である場合の第２の実施の形態において、各発光部４の開口角φを８０度にした場合である。輝度比は約２．０であった。
【００５７】
この発明の第８の実施の形態を図１６により説明する。すなわち、この標示灯は、ライトガイド３が２本で標示板１７、１８が２枚である第６の実施の形態（図１４）において、各発光部４の開口角φを６０度としている。輝度比を各標示板１７、１８ともに２．１であった。
【００５８】
この発明の第９の実施の形態を図１７により説明する。すなわち、この標示灯は、ライトガイド３が２本で標示板１７、１８が２枚である第８の実施の形態において、下側の発光部４を略中央高さに配置し、その出射光部９を上側の発光部４と同じ向きの下向きにし、各発光部４の開口角φを７０度としている。輝度比は標示板１７が２．３、標示板１８が２．３５であった。
【００５９】
この発明の第１０の実施の形態を図１８および図１９により説明する。すなわち、この標示灯は、第１の実施の形態において、標識部１がライトガイド３から離れるほど標示板５に近接する背面反射板２０を設けている。この背面反射板２０は標識部１内に配置され、図１８（ａ）に示すように、光を入射する面が発光部４の中心を焦点とした略放物面であり、ｙ2 ＝４ｆｘである。ｆは焦点距離、ｘは原点ｏからの水平距離、ｙは原点ｏからの垂直距離である。なお背面反射板２０は拡散面であるが、鏡面でもよい。
【００６０】
またリフレクタフィルム１０の一部すなわち図１９に示すように標示板５に近接する部分１０ａの透過率を３０〜９０％の範囲で、例えば４０％にアップした構造とする。これにより発光部４の前側の標示板５の輝度がアップし、標識部１全体の輝度がより均一にできる。輝度比は１．６であった。その他は第１の実施の形態と同様である。
【００６１】
なお、発光部４のリフレクタフィルム１０の上記構成を第１の実施の形態から第９の実施の形態に適用することができる。
【００６２】
この発明の第１１の実施の形態を図２０により説明する。すなわち、この標示灯は、第１０の実施の形態において、背面反射板２０の別の実施の形態を示し、同図（ａ）が背面反射板２０が平面の場合であり、ｙ＝ａｘである。ａは反射板の傾きｒ／Ｌであり、輝度比は１．９程度であった。同図（ｂ）は背面反射板２０が屈曲部２３を有する場合であり、屈曲部２３の先端の傾きはｒ：Ｌが１〜２：１となるようにしており、輝度比は１．８であった。同図（ｃ）は背面反射板２０が屈曲部２３を複数有する場合であり、とくにその各平面が発光部４の中心を焦点とした略放物面（第１０の実施の形態に示す式）に近似するように屈曲部２３の位置を決めている。この場合の輝度比は１．６５であった。その他は、第１０の実施の形態と同様である。
【００６３】
この発明の第１２の実施の形態を図２１により説明する。すなわち、この標示灯は、第７の実施の形態と第１０の実施の形態を組み合わせたものであり、第７の実施の形態の各発光部４に第１０の実施の形態の背面反射板２０を設け、リフレクタフィルム１０も透過率の高い部分を標示板５に接近する位置に設けている。ただし、出射光部９の開口角φは７０度である。２枚の反射板は上下対称になるように配置され、各反射板２０の発光部４から最も離れた端部２０ａは標識部１の中央部で当接するが端部２０ａは標示板５に接触せず、標識部１の裏面からの距離ｄ＝（１／２）Ｌ以上、例えば（２／３）Ｌである。したがって、ライトガイド３の光を効率よく標示板５の標示に利用することができる。輝度比は１．６であった。
【００６４】
この発明の第１３の実施の形態を図２２により説明する。すなわち、この標示灯は、第１の実施の形態において、発光部４が標示板５の裏面側の中央部に配置され、発光部４が標示板５に沿って上下の両方向に出射するものである。実施の形態では出射光部９ａ、９ｂが上下２箇所に設けられている。その開口角はφ1 、φ2 は同等で例えば９０度が望ましく、また傾きθ＝０度である。リフレクタフィルム１０は標示板５側の部分１０ａの透過率を望ましい３０％〜９０％の範囲のうちの４０％に制御している。またエクストラクタフィルム１１はプリズムシート８ａの内側で標示板５から離れた部分に設けている。輝度比は２．２であった。その他は、第１の実施の形態と同様である。
【００６５】
この発明の第１４の実施の形態を図２３により説明する。すなわち、この標示灯は、第１３の実施の形態において、発光部４を標示板５の中央部よりやや上方に位置したものである。その位置は標識部１の上端部からの距離ｒ１とし、標識部１の下端部からの距離ｒ２として、ｒ１：ｒ２が好ましい範囲１：１〜５のうちで、１：２としている。また出射光部９ａ、９ｂの開口角度はφ１、φ２ともに１０〜１２０で望ましいが、φ１は４５度、φ２は９０度である。また出射光部９ａ、９ｂの傾きθは０度である。輝度比は２．１であった。
【００６６】
この発明の第１５の実施の形態を図２４により説明する。すなわち、この標示灯は、第１３の実施の形態において、第１０の実施の形態の背面反射板２０を標識部１の内部で発光部４の背面側に配置している。したがって、背面反射板２０は出射光部９ａ、９ｂに対応して発光部４の中心に焦点をもつ第１１の実施の形態の放物線の式に従う放物面である。輝度比は１．６であった。
【００６７】
この発明の第１６の実施の形態を図２５により説明する。すなわち、この標示灯は、第１４の実施の形態において、発光部４に第１０の実施の形態の放物線の式に従う放物面の背面反射板２０を設けたものである。
【００６８】
この場合、標識部１の中央側の出射光部９ｂの焦点距離をｆとすると、標識部１の外側の出射光部９ｂの焦点距離はｆ／２の放物面となる。発光部４の位置をｒ１：ｒ２＝１：１〜５とする場合、それに対応して焦点距離の比ｆ１：ｆ２＝１：１〜５が望ましい。輝度比１．６であった。
【００６９】
この発明の第１７の実施の形態を図２６により説明する。すなわち、この標示灯は、第１６の実施の形態において、ライトガイド３および発光部４が２本で、反射板２０がそれぞれの背面側に配置されている。また出射光部９ａ、９ｂを上下に設け、標識部１の中央に向く出射光部９ａの開口角は４５度、標識部１の上下端部に向く出射光部９ｂの開口角は９０度としている。２枚の背面反射板２０の標識部１の中央において相当接する端部は標示板５に接触しないように設定し、その位置は標識部１の裏面からの距離ｄがｄ＝ｌ／２Ｌ以上が望ましく、とくにｄ＝３／４Ｌが望ましい。輝度比は１．５であった。
【００７０】
この発明の第１８の実施の形態を図２７および図２８により説明する。すなわち、この標示灯は、第１の実施の形態において、２個の標識部１ａ、１ｂを使用し、ライトガイド３は第１の標識部１ａを通過し、端部を第２の標識部１ｂに導入し、それぞれに発光部４を設けている。この場合、ライトガイド３および発光部４はプリズムシート８の頂角の稜線とライトガイド軸線（長手方向）とが９０度をなすもので、発光部４ではその頂角が標識部１ａで内向き（中心に向く）であり、標識部１ｂで外向き（外周に向く）になっている。ライトガイド３および発光部４の径は２５０ｍｍ、外殻は外径２５５ｍｍ、肉厚４ｍｍのアクリル樹脂を用い透過率９２％である。さらに図２８に示すように、第１の標識部１ａの発光部４のエクストラクタフィルム１１ａが細幅例えば１５０ｍｍであり、第２の標識部１ｂの発光部４のエクストラクタフィルム１１ｂが細幅例えば３００ｍｍとして、光源６から離れるものほどエクストラクタフィルムの面積を大きくして、第１の標識部１ａと第２の標識部１ｂの輝度差を低減している。また第１５の実施の形態に示す背面反射板２０も使用し、これはＰＥＴを用い拡散反射率９％である。さらにエンドリフレタクの傾斜角は０度である。また各標識部１ａ、１ｂの輝度比は１．６であった。
【００７１】
この発明の第１９の実施の形態を図２９および図３０により説明する。すなわち、この標示灯は、第１８の実施の形態において、第２の実施の形態と同様に光源６側の端部をコーナ反射板１６のあるコーナボックス１５を介して垂直に垂下したものである。この場合、図３０の（ａ）、（ｃ）に示すように第１の標識部１ａの発光部４のエクストラクタフィルム１１ａを細幅矩形の形状にし、図３０の（ｂ）、（ｄ）、（ｅ）に示すように第２の標識部１ｂのエクストラクタフィルム１１ｂを頂部を光源側に向けた中空または中実の錐状の筒形状にし、標識部１ａ、１ｂ間の輝度差を低減している。また発光部４のプリズムシート８ａの頂角は各標識部１ａ、１ｂともに内向きである。各標識部１ａ、１ｂの輝度比は１．７であった。
【００７２】
この発明の第２０の実施の形態を図３１により説明する。すなわち、この標示灯は、第３の実施の形態（図１０）において、発光部４のエクストラクタフィルム１１を頂部を光源側に向けた錐状の筒形状にしたものである。ただし、発光部４のプリズムシートの頂角の稜線とライトガイド軸線とは９０度をなし、かつその頂部は外向きである。輝度比は１．８であった。
【００７３】
この発明の第２１の実施の形態を図３２により説明する。すなわち、この標示灯は、第１８の実施の形態において、ライトガイド３が２本の場合であり、第１の標識部１ａの発光部４の開口角は６０度、第２の標識部１ｂの開口角は９０度であり、両方とも各標識部１ａ、１ｂの中央に向けている。またプリズムシートのプリズムの頂角の稜線とライトガイド軸とが９０度をなし、頂点が第１の標識部１ａで内向きに、第２の標識部１ｂで外向きになっている。またエクストラクタ１１ａ、１１ｂはいずれも矩形であるが、幅において第１の標識部１ａの方が小さい。各標識部１ａ、１ｂの輝度比は１．７であった。その他第１９の実施の形態と同様である。
【００７４】
この発明の第２２の実施の形態を図３３により説明する。すなわち、この標示灯は、第２０の実施の形態において、エクタストクタ１１の形状が例えば底辺３００ｍｍで高さが１８００ｍｍの三角形状であり、頂点を光源側に配置している。エンドリフレクタの傾斜角は０〜４５度のうちで、０度を採用している。この場合、標識部１の輝度比は１．９であった。
【００７５】
なお、この発明において、出射光部９、ライトガイド３、反射板２０は３以上の複数でもよい。
【００７６】
【発明の効果】
請求項１記載の標示灯によれば、光源を標識部から分離できるので光源のメンテナンスをよくでき、発光部より光を標示板に略平行に出射させるため、輝度むらを低減でき、光の使用効率をよくできる。またエクストラクタにより標識部の輝度を高めることができる。さらに標示板の発光部に近接した部分の輝度を高め、標示板全体の輝度を均一にできる。
【００８０】
請求項２記載の標示灯によれば、請求項１と同様な効果がある。
【００８３】
請求項３記載の標示灯によれば、請求項１と同様な効果のほか、光の進行方向の輝度の均一化を図れる。
【００８４】
請求項４記載の標示灯によれば、請求項３と同様な効果をより一層顕著にすることができる。
【００８５】
請求項５記載の標示灯によれば、請求項１と同様な効果がある。
【００８６】
請求項６記載の標示灯によれば、請求項１と同様な効果がある。
【００８７】
請求項７記載の標示灯によれば、請求項１と同様な効果のほか、ライトガイド数に応じて明るさが増し、また標識部の形状を大きくすることができる。
【００８８】
請求項８記載の標示灯によれば、請求項１と同様な効果のほか、発光部により標識部間の輝度差を低減できる。
【００８９】
請求項９記載の標示灯によれば、請求項８と同様な効果をより一層顕著にすることができる。
【００９０】
請求項１０記載の標示灯によれば、請求項８と同様な効果をより一層顕著にすることができる。
【００９１】
請求項１１記載の標示灯によれば、請求項１と同様な効果のほか、エンドリフレクタで反射した光を発光部に戻すことができ、標識部の輝度を高めるのに寄与する。
【図面の簡単な説明】
【図１】（ａ）はこの発明の第１の実施の形態の正面図、（ｂ）はその側面図である。
【図２】（ａ）はその拡大断面図、（ｂ）はその部分断面図である。
【図３】図２（ａ）の部分拡大断面図である。
【図４】（ａ）はライトガイドの断面略図、（ｂ）はその部分断面図である。
【図５】発光部の構造を示す拡大断面図である。
【図６】エクストラクタの平面図である。
【図７】エンドリフレクタを示す断面図である。
【図８】第２の実施の形態を示し、（ａ）は正面図、（ｂ）は側面図である。
【図９】エンドリフレクタを示す断面図である。
【図１０】第３の実施の形態を示し、（ａ）は正面図、（ｂ）は側面図である。
【図１１】ライトガイドのコーナ部分の拡大説明図である。
【図１２】第４の実施の形態を示し、（ａ）は正面図、（ｂ）は側面図である。
【図１３】第５の実施の形態を示し、（ａ）は正面図、（ｂ）は側面図である。
【図１４】第６の実施の形態を示す断面図である。
【図１５】第７の実施の形態を示す断面図である。
【図１６】第８の実施の形態を示す断面図である。
【図１７】第９の実施の形態を示す断面図である。
【図１８】第１０の実施の形態を示し、（ａ）は断面図、（ｂ）はその部分断面図である。
【図１９】図１８（ａ）の部分拡大図である。
【図２０】第１１の実施の形態の断面図である。
【図２１】第１２の実施の形態の断面図である。
【図２２】第１３の実施の形態を示し、（ａ）は断面図、（ｂ）はその部分拡大図である。
【図２３】第１４の実施の形態の断面図である。
【図２４】第１５の実施の形態の断面図である。
【図２５】第１６の実施の形態の断面図である。
【図２６】第１７の実施の形態の断面図である。
【図２７】第１８の実施の形態を示し、（ａ）は正面図、（ｂ）は側面図である。
【図２８】エクストラクタを示し、（ａ）は第１の標識部のエクストラクタの平面図、（ｂ）は第２の標識部のエクストラクタの平面図である。
【図２９】第１９の実施の形態を示し、（ａ）は正面図、（ｂ）は側面図である。
【図３０】（ａ）は第１の標識部の発光部の断面図、（ｂ）は第２の標識部の発光部の断面図、（ｃ）は第１の標識部のエクストラクタの平面図、（ｄ）は第２の標識部のエクストラクタの側面図、（ｅ）はその端面図である。
【図３１】第２０の実施の形態を示し、（ａ）は正面図、（ｂ）は側面図、（ｃ）は発光部の断面図、（ｄ）はエクストラクタの側面図、（ｅ）はその端面図である。
【図３２】第２１の実施の形態を示し、（ａ）は正面図、（ｂ）は側面図、（ｃ）は第１の標識部のエクストラクタの平面図、（ｅ）は第２の標識部のエクストラクタの平面図である。
【図３３】第２２の実施の形態を示し、（ａ）は正面図、（ｂ）は側面図、（ｃ）はエクストラクタの平面図である。
【図３４】第１の従来例の一部破断正面図である。
【図３５】第２の従来例の一部破断斜視図である。
【符号の説明】
１    標識部
１ａ、１ｂ    標識部
３    ライトガイド
４    発光部
５    標示板
８    プリズムシート
８ａ    プリズムシート
９    出射光部
１０    リフレクタフィルム
１０ａ    リフレクタフィルム
１１    エクストラクタフィルム
１２    エンドリフレクタ
１６    コーナ反射鏡
１７    標示板
１８    標示板
２０    背面反射板
【図１】
0003911956.tif 000002
【図２】
0003911956.tif 000003
【図３】
0003911956.tif 000004
【図４】
0003911956.tif 000005
【図５】
0003911956.tif 000006
【図６】
0003911956.tif 000007
【図７】
0003911956.tif 000008
【図８】
0003911956.tif 000009
【図９】
0003911956.tif 000010
【図１０】
0003911956.tif 000011
【図１１】
0003911956.tif 000012
【図１２】
0003911956.tif 000013
【図１３】
0003911956.tif 000014
【図１４】
0003911956.tif 000015
【図１５】
0003911956.tif 000016
【図１６】
0003911956.tif 000017
【図１７】
0003911956.tif 000018
【図１８】
0003911956.tif 000019
【図１９】
0003911956.tif 000020
【図２０】
0003911956.tif 000021
【図２１】
0003911956.tif 000022
【図２２】
0003911956.tif 000023
【図２３】
0003911956.tif 000024
【図２４】
0003911956.tif 000025
【図２５】
0003911956.tif 000026
【図２６】
0003911956.tif 000027
【図２７】
0003911956.tif 000028
【図２８】
0003911956.tif 000029
【図２９】
0003911956.tif 000030
【図３０】
0003911956.tif 000031
【図３１】
0003911956.tif 000032
【図３２】
0003911956.tif 000033
【図３３】
0003911956.tif 000034
【図３４】
0003911956.tif 000035
【図３５】
0003911956.tif 000036